(57)【要約】【課題】  履物の内部の空気を履物の外側の空気と入れ替えることができることによって、足裏の蒸れや悪臭を防止することができる履物の通気構造を提供すること。【解決手段】  ミッドソール１２の上面に中底１５が配置されている運動靴１１において、ミッドソール１２の踏み付け部１９及び踵部２０のそれぞれの上面に形成した第１及び第２空気溝１７、１８と、ミッドソール１２の土踏まず部１３に設けられ、第１及び第２空気溝１７、１８と連通すると共に、運動靴１１の左右の各側面で外側に開口する通気口２２ａを有する通気部材１４とを備え、中底１５が通気性を有する。【選択図】      図１
2006081580.tif 000002
【特許請求の範囲】
【請求項１】
ソール部の上面に中底が配置されている履物において、
前記ソール部の上面に形成した空気溝と、前記ソール部に設けられ前記空気溝と連通すると共に、前記履物の外側に開口する通気路を有する通気部材とを備え、前記中底が通気性を有することを特徴とする履物の通気構造。
【請求項２】
前記通気部材が前記履物の土踏まず部に設けられ、前記通気路が前記履物の側面で開口することを特徴とする請求項１記載の履物の通気構造。
【請求項３】
前記空気溝は、前記ソール部の踏み付け部及び踵部に形成されていることを特徴とする請求項２記載の履物の通気構造。
【請求項４】
前記通気部材は、前記ソール部よりも硬質の材料で形成され、着用者の体重によって前記通気路が閉じない程度の弾力性を有することを特徴とする請求項１乃至３のいずれかに記載の履物の通気構造。
【請求項５】
前記履物のアッパー部の吊り込み代が前記ソール部の外周縁に配置され、前記吊り込み代が通気性を有することを特徴とする請求項１乃至４のいずれかに記載の履物の通気構造。
【発明の詳細な説明】
【技術分野】
【０００１】
本発明は、例えば運動靴、ビジネスシューズ、及び長靴に適用することができる履物の通気構造に関する。
【背景技術】
【０００２】
従来の履物の通気構造として、例えば図１０に示すものがある（例えば、特許文献１参照。）。この履物の通気構造１は、同図に示すように、靴底２を形成するミッドソール３とアウトソール４との間に空気室５が形成されており、この空気室５は連通孔６を介して通気口７と連通している。この通気口７は、靴８のつま先側に設けられており、靴８の内部８ａに開口している。そして、空気室５は、靴底２の踵部に形成されている。
【０００３】
この履物の通気構造１によると、着用者の体重が靴底２の踵部に掛かると、空気室５が圧縮されて、空気室５内の空気が連通孔６及び通気口７を通って靴８の内部８ａに吹き出される。そして、体重が靴底２の踵部から除去されると、ミッドソール３の復元力によって空気室５が拡大して元の形状に戻る。これによって、靴８の内部８ａの空気が通気口７及び連通孔６を通って空気室５内に吸い込まれる。このように、この靴８を着用して例えば歩行すると、空気室５内の空気が通気口７から吹き出されたり、靴８の内部８ａの空気が通気口７から吸い込まれるので、足裏の蒸れを低減することができる。
【特許文献１】実開平４−１１２６０５号公報
【発明の開示】
【発明が解決しようとする課題】
【０００４】
しかし、図１０に示す従来の履物の通気構造１では、空気室５内の空気と、靴８の内部８ａの空気とが、それぞれの空間の間で移動する構成であるので、その移動する空気自体が蒸れてくると、足裏が蒸れるという問題がある。つまり、空気室５内の空気及び靴内部８ａの空気を、靴８の外側の空気と全く入れ替えることができないので、靴内部８ａの空気が蒸れてきて足裏が蒸れることとなる。
【０００５】
本発明は、上記のような課題を解決するためになされたものであり、履物の内部の空気を履物の外側の空気と入れ替えることができることによって、足裏の蒸れや悪臭を防止することができる履物の通気構造を提供することを目的としている。
【課題を解決するための手段】
【０００６】
本発明に係る履物の通気構造は、ソール部の上面に中底が配置されている履物において、前記ソール部の上面に形成した空気溝と、前記ソール部に設けられ前記空気溝と連通すると共に、前記履物の外側に開口する通気路を有する通気部材とを備え、前記中底が通気性を有することを特徴とするものである。
【０００７】
この発明に係る履物の通気構造によると、履物の内部の空気は、通気性を有する中底を通ってソール部上面の空気溝に流入して、この空気溝と連通する通気路を通って履物の外側に流出することができる。これによって、履物の内部の空気を履物の外側に排出することができる。そして、履物の外側の空気は、通気路から流入して空気溝及び中底を通って履物内部に流入する。これによって、履物の外側の乾燥した空気を履物の内部に行き渡らせることができる。また、この履物を着用して例えば歩行すると、中底に体重が掛かったり除去されることが繰り返されるので、中底と空気溝とによって形成されている空間が、圧縮されたり、中底及びソール部の復元力によって拡大する。これによって、履物内部の空気と、外側の乾燥した空気とを強制的に循環させることができる。
【０００８】
また、ソール部と通気部材とを別個の部材とすることによって、ソール部には、歩行がし易いように屈曲性を有する部材によって形成することができ、通気部材には、体重等によって通気路が閉じないように、所定の硬さの部材によって形成することができる。
【０００９】
そして、この発明に係る履物の通気構造において、前記通気部材が前記履物の土踏まず部に設けられ、前記通気路が前記履物の側面で開口するようにできる。このように通気部材を履物の土踏まず部に設けることによって、通気部材の通気路が体重によって圧縮変形して閉じることを防止するようにできる。そして、土踏まず部に設けられている通気部材は、履物の略中央に配置されるので、履物内部の踏み付け部側及び踵部側のそれぞれの空気を効率よく外部の空気と入れ替えることができる。そして、通気路が履物の側面で開口しているので、この通気路に形成されている通気路から外部の水や埃が入ることを抑制することができる。
【００１０】
また、この発明に係る履物の通気構造において、前記空気溝を、前記ソール部の踏み付け部及び踵部に形成することができる。このようにすると、履物内部の踏み付け部側及び踵部側のそれぞれの空気を、それぞれの部分に形成されている空気溝を介して効率よく外部の空気と入れ替えることができる。
【００１１】
更に、この発明に係る履物の通気構造において、前記通気部材は、前記ソール部よりも硬質の材料で形成され、着用者の体重によって前記通気路が閉じない程度の弾力性を有するものとすることができる。このようにすると、通気部材の通気路が体重によって閉じることを防止することができるので、履物内部の空気を効率よく外部の空気と入れ替えることができる。そして、ソール部を通気部材よりも軟質材料で形成することによって、ソール部に掛かる体重の変化によって、ソール部の空気溝が縮小したり拡大するようにできる。よって、履物内部の空気を効率よく強制的に外側の空気と入れ替えることができる。
【００１２】
そして、この発明に係る履物の通気構造において、前記履物のアッパー部の吊り込み代が前記ソール部の外周縁に配置され、前記吊り込み代が通気性を有するようにできる。このようにすると、吊り込み代によって、ソール部の上面に形成されている空気溝を覆うことがあっても、この吊り込み代によって空気溝と履物の内部との空気の流通を妨げないようにすることができる。これによって、吊り込み代を備える履物に対して本発明を適用することができる。
【発明の効果】
【００１３】
この発明に係る履物の通気構造によると、通気性を有する中底、ソール部上面の空気溝、及び通気路を介して、履物の内部の空気と、外側の乾燥した空気とが自然に循環するし、例えば歩行することによって、強制的に循環させることができるので、足裏の蒸れや悪臭を防止することができる。
【発明を実施するための最良の形態】
【００１４】
以下、本発明に係る履物の通気構造の実施形態を図１〜図９を参照して説明する。この通気構造１０は、図１（ａ）、（ｂ）に示すように、運動靴１１に適用したものであり、この運動靴１１は、ミッドソール（ソール部）１２の土踏まず部１３に通気部材１４が設けられている。そして、このミッドソール１２及び通気部材１４の上面に中底１５が設けられており、ミッドソール１２の下面にアウトソール１６が接着されている。なお、図１（ｂ）では、中底１５を省略してある。
【００１５】
ミッドソール１２は、図１（ａ）、（ｂ）に示すように、略足裏形状に形成された板状体であり、その上面に深さが約３ｍｍの第１及び第２空気溝１７、１８が形成されている。この第１及び第２空気溝１７、１８は、図１（ｂ）に示すように、ミッドソール１２の踏み付け部１９、及び踵部２０のそれぞれの上面の略全範囲に亘って形成されている。
【００１６】
つまり、第１空気溝１７は、図１（ｂ）に示すように、ミッドソール１２の踏み付け部１９の外周縁に沿って形成された第１環状空気溝１７ａを備えており、この第１環状空気溝１７ａの内側に足幅方向に形成された４本の第１横空気溝１７ｂが配置されている。そして、ミッドソール１２の長さ方向に形成されて、これら４本の各第１横空気溝１７ｂの略中央部と交差する１本の第１縦空気溝１７ｃを備えている。これら各空気溝１７ａ、１７ｂ、１７ｃは互いに接続している。そして、第２空気溝１８は、第１空気溝１７と同様に、ミッドソール１２の踵部２０の外周縁に沿って形成された第２環状空気溝１８ａ、足幅方向に形成された２本の第２横空気溝１８ｂ、及びミッドソール１２の長さ方向に形成された１本の第２縦空気溝１８ｃを備えており、各空気溝１８ａ、１８ｂ、１８ｃは互いに接続している。図２及び図３は、この運動靴１１を図１（ｂ）のＢ−Ｂ方向、及びＣ−Ｃ方向から見た断面図である。
【００１７】
通気部材１４は、図１（ａ）、（ｂ）に示すように、ミッドソール１２の土踏まず部１３に形成されている凹部２１に装着されて、この凹部２１に接着剤によって接着されている。そして、通気部材１４は、図４及び図５に示すように、その上面１４ａがミッドソール１２の上面と略一致するように形成されている。そして、この通気部材１４の上面１４ａには、通気路２２が形成されている。この通気路２２は、第３空気溝２３を備えている。
【００１８】
この第３空気溝２３は、図１（ｂ）に示すように、ミッドソール１２の長さ方向に形成された１本の第３縦空気溝２３ａ、及び足幅方向に形成された４本の第３横空気溝２３ｂを備えており、この第３縦空気溝２３ａは、４本の各第３横空気溝２３ｂの略中央部と交差して接続している。そして、第３縦空気溝２３ａは、両方の各端部が第１及び第２縦空気溝１７ｃ、１８ｃと接続している。また、この第３縦空気溝２３ａには、この溝方向に沿って補強用の３つの突条２４が設けられている。各突条２４は、その断面が第３縦空気溝２３ａの断面よりも小さく形成されており、第３縦空気溝２３ａの空気の流通機能は確保されている。これら突条２４は、通気部材１４の上面１４ａと同一の高さに形成されている。この突条２４は、体重が中底１５に掛かったときに、中底１５が変形して第３縦空気溝２３ａ内に進入して、この第３縦空気溝２３ａを閉塞させないようにするためのものである。
【００１９】
また、図１（ａ）、（ｂ）に示すように、４本のそれぞれの第３横空気溝２３ｂの両端部には、合計８個の通気口２２ａ、・・・が形成されている。各通気口２２ａは、図４の断面図に示すように、第３横空気溝２３ｂの内側面、通気部材１４の上縁１４ｂ、及びミッドソール１２の上縁１２ｂによって形成されている。従って、これら８個の各通気口２２ａは、運動靴１１の外側に向かって開口しており、第１〜第３の各空気溝１７、１８、２３と接続している。このようにして、図４に示すように、４個の通気口２２ａは、この運動靴１１の内側の側面１１ａに形成されており、他の４個の通気口２２ａは、この運動靴１１の外側の側面１１ｂに形成されている。
【００２０】
なお、図６は、通気部材１４を示す平面図である。この平面図に示すように、４つの第３横空気溝２３ｂのそれぞれの両端部に、合計８個の開口部が形成されており、各開口部の一部が通気口２２ａとしての機能を果たしている。図７は、通気部材１４の側面図であり、図８は通気部材１４の底面図である。
【００２１】
図９（ａ）、（ｂ）、（ｃ）は、図６に示す通気部材１４をＦ−Ｆ方向、Ｇ−Ｇ方向、Ｈ−Ｈ方向から見た断面図であり、通気部材１４の第３横空気溝２３ｂが形成されていない部分、及び第３横空気溝２３ｂが形成されている部分を示している。
【００２２】
また、図１（ａ）、（ｂ）に示すように、ミッドソール１２及び通気部材１４の外周縁の上面には、この運動靴１１のアッパー部２５の吊り込み代２６が接着剤によって散点的に接着されている。この吊り込み代２６は、通気性を有しており、その外周縁がアッパー部２５に縫合されている。アッパー部２５は、甲被材及び内装材（図示せず）から成っている。
【００２３】
中底１５は、図１（ｂ）に示すミッドソール１２及び通気部材１４の平面形状と対応する形状の例えば板状部材又は布状体であって、通気性を有している。この中底１５は、その外周部がアッパー部２５及び吊り込み代２６に縫合されている。この吊り込み代２６は、図１（ａ）に示すように、ミッドソール１２の外周縁と中底１５との間に配置されている。
【００２４】
なお、この実施形態では、図１（ａ）に示す中底１５は、多数の貫通孔１５ａ、１５ａ、・・・を有する板状部材である。ただし、これ以外に例えば、メッシュ状のものとしてもよいし、通気性を有する連続気泡体の例えば発泡ポリウレタン製としてもよい。吊り込み代２６は、通気性を有する布であり、例えばナイロンやポリエステル製である。通気部材１４は、ミッドソール１２よりも硬質の例えばポリ塩化ビニル等の合成樹脂製であり、着用者の体重によって通気路２２（通気口２２ａ）が閉じない程度の弾力性を有すると共に、そのような構造に形成されている。ミッドソール１２及びアウトソール１６は、耐摩耗性を有する例えば合成ゴム製であってもよいし、合成ゴムと天然ゴムとをブレンドしたものであってもよい。アウトソール１６は、ミッドソール１２よりも耐磨耗性を有している。
【００２５】
上記のように構成された図１（ａ）、（ｂ）に示す運動靴１１によると、運動靴１１の内部１１ｃの空気は、中底１５の貫通孔１５ａ、・・・を通り、ミッドソール１２及び通気部材１４の上面に形成された第１〜第３空気溝１７、１８、２３に流入して、これらの空気溝と連通する各通気口２２ａ、・・・を通って運動靴１１の外側に流出することができる。これによって、運動靴１１の内部１１ｃの空気を靴１１の外側に排出することができる。そして、運動靴１１の外側の空気は、通気口２２ａ、・・・から流入して、第１〜第３空気溝１７、１８、２３及び中底１５の貫通孔１５ａ、・・・を通って運動靴１１の内部１１ｃに流入する。これによって、運動靴１１の外側の乾燥した空気を運動靴１１の内部１１ｃに行き渡らせることができる。よって、この運動靴１１を着用して歩行等しない状態であっても、靴内部１１ｃの空気と、外側の乾燥した空気とが自然に循環して、足裏の蒸れや悪臭を防止することができる。
【００２６】
また、この運動靴１１を着用して例えば歩行すると、中底１５に体重が掛かったり除去されることが繰り返されるので、中底１５と、第１及び第２空気溝１７、１８とによって形成されている空間が、圧縮されたり、中底１５及びミッドソール１２の復元力によって拡大する。これによって、靴内部１１ｃの空気と、外側の乾燥した空気とを強制的に循環させることができる。よって、歩行したり運動するときは、効果的に足裏の蒸れや悪臭を防止することができる。
【００２７】
そして、図１（ａ）、（ｂ）に示すように、通気部材１４を運動靴１１の土踏まず部１３に設けることによって、通気部材１４の通気路２２が体重によって圧縮変形して閉じることを防止できる。そして、土踏まず部１３に設けられている通気部材１４は、運動靴１１の略中央に配置されるので、運動靴１１の内部１１ｃの踏み付け部１９側及び踵部２０側のそれぞれの空気を効率よく外部の空気と入れ替えることができる。そして、各通気路２２が運動靴１１の内側及び外側の各側面１１ａ、１１ｂで開口しているので、各通気口２２ａから外部の水や埃が入ることを抑制することができる。
【００２８】
また、図１（ａ）、（ｂ）に示すように、第１及び第２空気溝１７、１８をそれぞれミッドソール１２の踏み付け部１９及び踵部２０に形成することによって、運動靴１１の内部１１ｃの踏み付け部１９側及び踵部２０側のそれぞれの空気を、それぞれの部分に形成されている空気溝１７、１８を介して効率よく外部の空気と入れ替えることができる。
【００２９】
更に、通気部材１４は、着用者の体重によって通気路２２が閉じない程度の弾力性を有しているので、通気路２２が体重によって閉じることを防止することができる。よって、運動靴１１の内部１１ｃの空気を効率よく外部の空気と入れ替えることができる。そして、ミッドソール１２を通気部材１４よりも軟質材料で形成してあるので、ミッドソール１２に掛かる体重の変化によって、ミッドソール１２の第１及び第２空気溝１７、１８が縮小したり拡大する。よって、靴の内部１１ｃの空気を効率よく強制的に外側の空気と入れ替えることができる。
【００３０】
そして、図１（ａ）、（ｂ）に示す吊り込み代２６は、通気性を有するものとしたので、ミッドソール１２の上面に形成されている例えば第１及び第２環状空気溝１７ａ、１８ａを覆うことがあっても、吊り込み代２６によって空気溝１７ａ、１８ａと運動靴１１の内部１１ｃとの空気の流通を妨げないようにすることができる。これによって、吊り込み代２６を備える運動靴１１に対して本発明を適用することができる。
【００３１】
ただし、上記実施形態では、図１（ａ）、（ｂ）に示すように、本発明を運動靴１１に適用した例を示したが、これに代えて、例えばビジネスシューズ、及び長靴に適用することができる。
【産業上の利用可能性】
【００３２】
以上のように、本発明に係る履物の通気構造は、履物の内部の空気を履物の外側の空気と入れ替えることができることによって、足裏の蒸れや悪臭を防止することができる優れた効果を有し、このような履物の通気構造等に適用するのに適している。
【図面の簡単な説明】
【００３３】
【図１】この発明の実施形態に係る運動靴を示す断面図であり、（ａ）はＡ−Ａ断面図、（ｂ）はアッパー部及び中底を省略した横断面図である。
【図２】同実施形態に係る運動靴を示すＢ−Ｂ断面図である。
【図３】同実施形態に係る運動靴を示すＣ−Ｃ断面図である。
【図４】同実施形態に係る運動靴を示すＤ−Ｄ断面図である。
【図５】同実施形態に係る運動靴を示すＥ−Ｅ断面図である。
【図６】同実施形態に係る運動靴の通気部材を示す平面図である。
【図７】同実施形態に係る運動靴の通気部材を示す側面図である。
【図８】同実施形態に係る運動靴の通気部材を示す底面図である。
【図９】同実施形態に係る運動靴の通気部材を示す断面図であり、（ａ）はＦ−Ｆ端面図、（ｂ）はＧ−Ｇ端面図、（ｃ）はＨ−Ｈ端面図である。
【図１０】従来の履物の通気構造を示す部分断面側面図である。
【符号の説明】
【００３４】
１０  履物の通気構造
１１  運動靴
１１ａ  運動靴の内側の側面
１１ｂ  運動靴の外側の側面
１１ｃ  運動靴の内部
１２  ミッドソール
１２ａ  ミッドソールの上縁
１３  土踏まず部
１４  通気部材
１４ａ  通気部材の上面
１４ｂ  通気部材の上縁
１５  中底
１５ａ  貫通孔
１６  アウトソール
１７  第１空気溝
１７ａ  第１環状空気溝
１７ｂ  第１横空気溝
１７ｃ  第１縦空気溝
１８  第２空気溝
１８ａ  第２環状空気溝
１８ｂ  第２横空気溝
１８ｃ  第２縦空気溝
１９  踏み付け部
２０  踵部
２１  凹部
２２  通気路
２２ａ  通気口
２３  第３空気溝
２３ａ  第３縦空気溝
２３ｂ  第３横空気溝
２４  突条
２５  アッパー部
２６  吊り込み代
【図１】
2006081580.tif 000003
【図２】
2006081580.tif 000004
【図３】
2006081580.tif 000005
【図４】
2006081580.tif 000006
【図５】
2006081580.tif 000007
【図６】
2006081580.tif 000008
【図７】
2006081580.tif 000009
【図８】
2006081580.tif 000010
【図９】
2006081580.tif 000011
【図１０】
2006081580.tif 000012